(57)【要約】【課題】現行の通信システムにおけるショートプリアンブルを用いた高精度の周波数オフセット補正を実現できる周波数オフセット補正方法および装置を提供すること。【解決手段】ショートプリアンブルの３シンボル後のサンプルと比較すると最も精度が向上することを前提に、通常行われていた１６サンプル後の回転角度の算出と（ステップＳ１３）、４８サンプル後の回転角度の算出を行う（ステップＳ１４）。そして、シンボルＡ４からＡ７の回転角度を計測する前に、従来どおりＡ４からＡ５、Ａ５からＡ６の回転角度を計測し大方の回転角度を求め、補正可能な最大オフセット周波数を下げずに、高精度なオフセット周波数の算出を可能にする。【選択図】      図１０
2006041722.tif 000002
【特許請求の範囲】
【請求項１】
ＯＦＤＭ通信システムにおける送信側、受信側間で発生するキャリアオフセットを補正する周波数オフセット補正方法であって、
入力されたデータの先頭に存在するショートプリアンブルのＩＱデータを保持する保持ステップと、
現在入力されたＩＱデータと、前記保持ステップで保持した１６サンプル前のＩＱデータとの相関から繰り返し信号間に生じる位相回転を検出し、前記ＩＱデータの回転角度を算出する第１の回転角度算出ステップと、
前記入力されたＩＱデータと、前記保持ステップで保持した３シンボル前のＩＱデータとの相関から前記ＩＱデータの回転角度を算出する第２の回転角度算出ステップと、
前記第１の回転角度算出ステップおよび前記第２の回転角度算出ステップで算出した前記ＩＱデータの回転角度をもとに前記ＩＱデータの周波数オフセットを算出し補正を行う周波数オフセット補正ステップと、
を備えたことを特徴とする周波数オフセット補正方法。
【請求項２】
ＯＦＤＭ通信システムにおける送信側、受信側間で発生するキャリアオフセットを補正する周波数オフセット補正回路であって、
入力されたデータの先頭に存在するショートプリアンブルのＩＱデータを保持するサンプルデータ保持回路と、
現在入力されたＩＱデータと、前記サンプルデータ保持回路により保持した１６サンプル前のＩＱデータとの相関から繰り返し信号間に生じる位相回転を検出し前記ＩＱデータの回転角度を算出し、前記入力されたＩＱデータと、前記サンプルデータ保持回路により保持した３シンボル前のＩＱデータとの相関から前記ＩＱデータの回転角度を算出し、前記算出した各ＩＱデータの回転角度をもとにＩＱデータの周波数オフセットを算出する角度検知器と、
前記角度検知器による算出結果をもとにＩＱデータの周波数オフセットを補正するオフセット補正部と、
を備えたことを特徴とする周波数オフセット補正回路。
【発明の詳細な説明】
【技術分野】
【０００１】
本発明は、ＯＦＤＭ“Ｏｒｔｈｏｇｏｎａｌ  Ｆｒｅｑｅｎｃｙ  ＤｉｖｉｓｉｏｎＭｕｌｔｉｐｌｅｘｉｎｇ”（ＩＥＥＥ８０２．１１．ａやｇなどのＯＦＤＭ）の通信システムにおいて、ショートプリアンブルを用いて精度よい周波数オフセット補正を可能とする周波数オフセット補正方法および装置に関する。
【背景技術】
【０００２】
図１は、従来のＯＦＤＭ方式の受信装置の構成を示すブロック図である。この受信装置は、アンテナ１、直交変換部２、Ａ／D変換部３、ＡＦＣ部４、周波数変換部（ＦＦＴ部）５、等化器６、デマッパ部７、デインタリーブ部８、デパンクチャ部９、ビタビ部１０、デスクランブラ部１１およびシンボルタイミング検出部１２を備えている。
【０００３】
この受信装置では、アンテナ１で受信した信号を直交変換部２でベースバンド信号へ変換し、さらにＡ／Ｄ変換部３でディジタル信号へと変換する。シンボルタイミング検出部１２は、データの先頭に存在するプリアンブル信号を用いてＯＦＤＭタイミングを決定し、全体の処理のタイミングを制御する。また、ＡＦＣ部４ではプリアンブル信号を用いて周波数オフセットの補正を行う。
ＡＦＣ部４で同期および周波数補正されたデータは周波数変換部５へ入力され、時間領域より周波数領域へと変換される。等化器６は周波数変換部５の後段でマルチパスによる初期位相および初期振幅の補正、残留周波数オフセットの補正、サンプリングオフセットの補正を行なっている。等化器６で補正されたデータはデマッパ部７でコンスタレーションがデマッピングされ、デマッピングされたデータはデインタリーブ部８で周波数デインタリーブされる。周波数デインタリーブされたデータはデパンクチャ部９でデパンクチャされ、ビタビ部１０でビタビ訂正される。
デパンクチャは、送信時に畳み込み符号化したビット列を規則的に削り、所望の符号化率にあわせるパンクチャ処理されたビット列から、受信側で元のビット列に戻すために、削ったビット位置にダミービットを挿入する処理である。
次にダミーを挿入したビット列からビタビ復号を行い、元のデータを取り出す。ビタビ部でエラー訂正されたデータはデスクランブラ部１１でスクランブルを解除して、受信データを得ることが出来る。
【０００４】
図２は、ＯＦＤＭ（ＩＥＥＥ８０２．１１ａ）のパケット構成を示す説明図である。パケットは、プリアンブル信号部１１１、ＳＩＧＮＡＬ部１１２およびデータ部１１３から構成されていて、プリアンブル信号部１１１は、ｔ１〜ｔ１０のシンボルで構成されているショートプリアンブルと、Ｔ１とＴ２のシンボルで構成されているロングプリアンブルの２つがあり、ショートプリアンブルはＡＧＣのゲイン調整、粗調ＡＦＣおよびパケットのタイミング検出に使用され、ロングプリアンブルは微調ＡＦＣ、チャネル推定に使用される。
ＳＩＧＮＡＬ部１１２は、データ部１１３の伝送速度やパケットの長さを示すデータになっている。データは、実際に送りたいデータである。ＧＩは、マルチパス遅延の干渉を回避するための冗長信号である。
【０００５】
ＯＦＤＭの受信側では、送信側、受信側間で発生するキャリアオフセットを補正しなくてはならない。その際、オフセットの検出を、図２に示すｔ１〜ｔ１０のシンボルで構成されているショートプリアンブルと、Ｔ１およびＴ２のシンボルで構成されているロングプリアンブルを用いて行う。
ショートプリアンブルは、周期が０．８μｓの既定の固定パターン信号であり、この繰り返し信号間に生じる位相回転の検出から周波数オフセットを算出し補正を行う。ロングプリアンブルは、周期が３．２μｓの既定の固定パターン信号であり、これも同様に周波数オフセットを算出する。そして、ショートプリアンブルは粗調整に、ロングプリアンブルは微調整に用いる。
【０００６】
直交変換部２において直交復調され、Ａ／Ｄ変換部３でＡ／Ｄ変換されたサンプリングデータは、実数Ｉ、虚数Ｑの平面で表される。サンプルは、マルチパスやホワイトノイズやサンプリングクロックのジッタによって位相や振幅が変動し、本来のＩ、Ｑの位置からばらついてしまう。そのばらつきのためノイズの影響により±ａの位相が変動し、精度良く周波数オフセットを検出できない。
図３は、サンプリングデータがジッタによる位相や振幅の変動によりばらつく状態を示す説明図である。
周波数オフセットは、１６サンプル後または６４サンプル後のデータとの位相回転量から求めるが、繰り返し信号区間が長いほどノイズによる回転量±ａの割合が小さくなるので、精度は繰り返し信号区間の長いロングプリアンブルでは微調な周波数補正が可能である。
【０００７】
データを抽出する際には、マルチキャリア復調を行なった各サブキャリア（ＢＰＳＫ、ＱＰＳＫ、１６ＱＡＭ、６４ＱＡＭ）の信号判定を行うために基準位相を必要とする。基準位相の算出はロングプリアンブルで行い、ロングプリアンブルを周波数変換部５でマルチキャリア復調して得られたＢＰＳＫ信号をもとに決められる。
具体的には図２に示すロングプリアンブルのシンボルＴ１で抽出した位相Ｐ１と、シンボルＴ２で抽出された位相Ｐ２の平均を求めたり、隣のサブキャリアの位相も利用したりして求めることになる。
【０００８】
ショートプリアンブルの部分は粗調な周波数オフセット補正しかしていないため、残留周波数オフセット誤差があり、図６に示すようにＰ１からＰ２へ位相が回転してしまう。そしてシグナル部の理想の基準位相はＳ１まで回転してしまう。
しかし、基準位相は（Ｔ１＋Ｔ２）／２などで求められるため、データから生成した基準位相と理想の基準位相Ｓ１と離れてしまいＣ／Ｎが悪化する。これを解決するには、ショートプリアンブルが終わった時点で、残留周波数オフセット誤差を小さくする必要性がある。
【０００９】
図４は、図１に示す従来の受信装置におけるＡＦＣ回路４の構成を示すブロック図である。
このＡＦＣ回路４は、周波数オフセットを検出するブロックＢ１とオフセットを補正するブロックＢ２に分かれている。そして、周波数オフセットを検出するブロックＢ１は、プリアンブルのデータを保持するためのサンプルデータ保持回路２１、そのデータの相関からオフセット周波数を算出するための角度検知器２２で構成されている。
オフセットを補正するブロックＢ２は、オフセットを補正するためのサイン波発生器２３と入力信号と補正サイン波を乗算してオフセット補正をする乗算器２４で構成されている。
【００１０】
図５は、従来の受信装置のＡＦＣ回路４における実際のデータ処理を示すフローチャートである。
次に、この図５に示すフローチャートに従って従来の周波数オフセットの検出のアルゴリズムを説明する。
図５のフローチャートに示すようにショートプリアンブルを用いた粗調オフセット周波数補正処理（ステップＳ１、ステップＳ２、ステップＳ３、ステップＳ４、ステップ５）とロングプリアンブルを用いた粗調オフセット周波数補正処理（ステップＳ６、ステップＳ７、ステップＳ８、ステップＳ９）とを実行する。
そして、検出回路に入力されたＩ、Ｑデータは１６サンプル分格納可能なシフトレジスタに入力され、サンプルするたびにデータをシフトさせる。そして、前記シフトレジスタから出力された１６サンプル分、遅延したＩ、Ｑデータは、複素共役演算回路で、位相回転方向と逆の現在のＩ、Ｑデータとの複素演算を行い、位相回転量を算出する。
【００１１】
キャリアオフセットの算出は、ショートプリアンブル・ロングプリアンブルのデータに周期性があるので、自己相関することにより回転位相を求めることが出来る。
ショートプリアンブルでは１６サンプル後、ロングプリアンブルでは６４サンプル後のＩ、Ｑデータは同じになるように作られている。
図６は、ショートプリアンブルで１６サンプル後にシンボルが３０°回転した一例を示す説明図である。
図６では、０〜１５サンプル目を○で１６〜３１サンプル目を●で示している。各サンプル０→１６、１→１７、２→１８、……１５→３１で位相が回転したかを算出することにより、１６サンプル当たりの位相回転量がわかる。
サンプルのＩ、Ｑの位置はノイズによってばらつく。そのため、１組の位相回転の結果を見るのではなく、複数組の位相回転量を足して平均を求めることで、ノイズ成分を抑圧させる。また、ロングプリアンブルを用いることにより、相関するサンプルが６４サンプル後と長い時間間隔になり、これもノイズ成分を抑圧させ、精度を向上させている。
【００１２】
このようなＯＦＤＭ信号のデータ部の先頭に付加される同期信号（プリアンブル部；遅延量１６サンプル）を利用し周波数誤差補正をディジタル処理により実行することで、ＯＦＤＭ信号の周波数補正演算を簡略化し、演算処理速度と通信速度とを同等にし、演算装置の体積、消費電流、価格を減少させたものがある（例えば、特許文献１参照）。
【特許文献１】特開２００１−２２３６６２号公報
【発明の開示】
【発明が解決しようとする課題】
【００１３】
かかる従来の周波数オフセット補正方法においては、以下の短所が付随している。すなわち、ショートプリアンブルおよびロングプリアンブルを用いて周波数オフセット補正を行う必要があり、高精度な周波数オフセット補正をショートプリアンブルのみを用いては実現できないという課題があった。
【００１４】
本発明は、このような事情に鑑みてなされたものであり、現行の通信システムにおけるショートプリアンブルを用いた高精度の周波数オフセット補正を実現できる周波数オフセット補正方法および装置を提供することを目的とする。
【課題を解決するための手段】
【００１５】
上述の目的を達成するため、本発明にかかる周波数オフセット補正方法は、入力されたデータの先頭に存在するショートプリアンブルのＩＱデータを保持する保持ステップと、現在入力されたＩＱデータと、前記保持ステップで保持した１６サンプル前のＩＱデータとの相関から繰り返し信号間に生じる位相回転を検出し、前記ＩＱデータの回転角度を算出する第１の回転角度算出ステップと、前記入力されたＩＱデータと、前記保持ステップで保持した３シンボル前のＩＱデータとの相関から前記ＩＱデータの回転角度を算出する第２の回転角度算出ステップと、前記第１の回転角度算出ステップおよび前記第２の回転角度算出ステップで算出した前記ＩＱデータの回転角度をもとに前記ＩＱデータの周波数オフセットを算出し補正を行う周波数オフセット補正ステップとを備えたことを特徴とする。
【００１６】
また、上述の目的を達成するため、本発明にかかる周波数オフセット補正回路は、入力されたデータの先頭に存在するショートプリアンブルのＩＱデータを保持するサンプルデータ保持回路と、現在入力されたＩＱデータと、前記サンプルデータ保持回路により保持した１６サンプル前のＩＱデータとの相関から繰り返し信号間に生じる位相回転を検出し前記ＩＱデータの回転角度を算出し、前記入力されたＩＱデータと、前記サンプルデータ保持回路により保持した３シンボル前のＩＱデータとの相関から前記ＩＱデータの回転角度を算出し、前記算出した各ＩＱデータの回転角度をもとにＩＱデータの周波数オフセットを算出する角度検知器と、前記角度検知器による算出結果をもとにＩＱデータの周波数オフセットを補正するオフセット補正部とを備えたことを特徴とする。
【発明の効果】
【００１７】
以上の説明から明らかなように、本発明にかかる周波数オフセット補正方法および装置は、ショートプリアンブルを用いた高精度の周波数オフセット補正を実現できる周波数オフセット補正方法および装置を提供できる効果がある。
【発明を実施するための最良の形態】
【００１８】
ショートプリアンブルを用いた精度の高い周波数オフセット補正を実現できる周波数オフセット補正方法を提供するという目的を、入力されたデータの先頭に存在するショートプリアンブルのＩＱデータを保持し、現在入力されたＩＱデータと、前記保持した１６サンプル前のＩＱデータとの相関から繰り返し信号間に生じる位相回転を検出し、前記ＩＱデータの回転角度を算出し、前記入力されたＩＱデータと、前記保持した３シンボル前のＩＱデータとの相関から前記ＩＱデータの回転角度を算出し、前記算出した回転角度をもとに前記ＩＱデータの周波数オフセットを算出し補正を行うことで実現した。
【００１９】
ショートプリアンブルを用いた精度の高い周波数オフセット補正を実現できる周波数オフセット補正回路を提供するという目的を、入力されたデータの先頭に存在するショートプリアンブルのＩＱデータをサンプルデータ保持回路により保持し、現在入力されたＩＱデータと、前記サンプルデータ保持回路により保持した１６サンプル前のＩＱデータとの相関から繰り返し信号間に生じる位相回転を検出し前記ＩＱデータの回転角度を算出し、前記入力されたＩＱデータと、前記サンプルデータ保持回路により保持した３シンボル前のＩＱデータとの相関から前記ＩＱデータの回転角度を算出し、前記算出した各ＩＱデータの回転角度をもとにＩＱデータの周波数オフセットを角度検知器により算出し、前記角度検知器による算出結果をもとにＩＱデータの周波数オフセットをオフセット補正部により補正することで実現した。
【実施例１】
【００２０】
この実施例１の周波数オフセット補正回路は、ＯＦＤＭ（ＩＥＥＥ８０２．１１．ａやｇなどのＯＦＤＭ）の通信システムにおいて、ショートプリアンブルを用いて精度よい周波数オフセット補正を実現するものであり、ショートプリアンブルが終わった時点で残留キャリア周波数を小さくすることが出来るため、ロングプリアンブルで行われるチャネル推定の精度を上げることが出来、通信システムの性能を向上させることが可能である。
すなわち、ショートプリアンブルが終わった時点で、現行のシステムより高い精度で周波数オフセット補正したＩＱデータを用いて、チャネル推定することによりプレイアビリティーを向上させることが可能である。
【００２１】
以下、この実施例１の周波数オフセット補正回路におけるショートプリアンブルを用いた高精度の周波数オフセット算出について説明する。
この実施例１の周波数オフセット補正回路では、従来、１シンボル後のサンプルとの比較だったところを、ｍ（２〜６）シンボル後のサンプルと比較することで精度を上げている。
【００２２】
図７は、この実施例１の周波数オフセット補正方法が適用されるＯＦＤＭ方式の受信装置の構成を示すブロック図である。この受信装置は、アンテナ１０１、直交変換部１０２、Ａ／Ｄ変換部１０３、ＡＦＣ部１０４、周波数変換部（ＦＦＴ部）１０５、等化器１０６、デマッパ部１０７、デインタリーブ部１０８、デパンクチャ部１０９、ビタビ部１１０、デスクランブラ部１１１およびシンボルタイミング検出部１１２を備えている。
【００２３】
この受信装置では、アンテナ１０１で受信した信号を直交変換部１０２でベースバンド信号へ変換し、さらにＡ／Ｄ変換部１０３でディジタル信号へと変換する。シンボルタイミング検出部１１２は、データの先頭に存在するプリアンブル信号を用いてＯＦＤＭタイミングを決定し、全体の処理のタイミングを制御する。
また、ＡＦＣ部１０４ではプリアンブル信号を用いてこの実施例１の周波数オフセット補正方法による周波数オフセットの補正を行う。ＡＦＣ部１０４で同期および周波数補正されたデータは周波数変換部１０５へ入力され、時間領域より周波数領域へと変換される。
等化器１０６は周波数変換部１０５の後段でマルチパスによる初期位相および初期振幅の補正、残留周波数オフセットの補正、サンプリングオフセットの補正を行なっている。等化器１０６で補正されたデータはデマッパ部１０７でコンスタレーションがデマッピングされ、デマッピングされたデータはデインタリーブ部１０８で周波数デインタリーブされる。
周波数デインタリーブされたデータはデパンクチャ部１０９でデパンクチャされ、ビタビ部１１０でビタビ訂正される。
デパンクチャは、送信時に畳み込み符号化したビット列を規則的に削り、所望の符号化率にあわせるパンクチャ処理されたビット列から、受信側で元のビット列に戻すために、削ったビット位置にダミービットを挿入する処理である。
次にダミーを挿入したビット列からビタビ復号を行い、元のデータを取り出す。ビタビ部でエラー訂正されたデータはデスクランブラ部１１１でスクランブルを解除して、受信データを得ることが出来る。
【００２４】
また、図２に示すＯＦＤＭ（ＩＥＥＥ８０２．１１ａ）のパケット構成は、この実施例１の説明にも適用される。
【００２５】
図８は、図７に示すＡＦＣ回路１０４の構成を示すブロック図である。
このＡＦＣ回路１０４は、周波数オフセットを検出する周波数オフセット検知部Ｂ１１とオフセットを補正するオフセット補正部Ｂ１２に分離されている。そして、周波数オフセットを検出する周波数オフセット検知部Ｂ１１は、プリアンブルのデータを保持するためのサンプルデータ保持回路１２１、そのデータの相関からオフセット周波数を算出するための角度検知器１２２により構成されている。
オフセットを補正するオフセット補正部Ｂ１２は、オフセットを補正するためのサイン波発生器１２３と入力信号と補正サイン波を乗算してオフセット補正をする乗算器１２４とで構成されている。
【００２６】
各算出方法での特性の違いを下記に示す。現在のサンプルのＩＱデータと１６サンプル後のＩＱデータは、図３に示すようにノイズによって角度がばらついている。そのばらつき値を１シンボル当たりの回転角度で割ったものをσ［％］とすると、２シンボル（３２サンプル）後の回転角度のジッターはσ／√２［％］になる。同様に、３シンボル後はσ／√３［％］、４シンボル後は、σ／√４［％］、５シンボル後はσ／√５［％］、６シンボル後はσ／√６［％］となる。
ロングシンボルは、６４Ｓａｍｐｌｅ周期なので、σ／√４［％］になる。これらの標本分散から、大きさnの標本に基づく標本平均は、標準偏差σ／√nの正規分布に従っていて、この値が小さいほど検出精度がよいことになる。
【００２７】
今回、ショートプリアンブルの最初の３シンボルはＲＦの調整に使われていて、残りの７シンボルで周波数オフセットを検出することを例にして、最初に１シンボル後の比較を行う現行システムと同じ場合について考察する。
７つのショートプリアンブルを用いて、回転角度の平均を計算した場合、標本数ｎは１６サンプル×６シンボル＝９６となる。これから９６個の標本平均の標準偏差は、標本分散がσであるため、σ／√９６＝０．１０２１σ［％］となる。
【００２８】
次にロングプリアンブルでの回転角度を計算した場合について考える。
ロングプリアンブルの標本数ｎは６４、標本分散がσ／√４なので、この標本平均の標準偏差は、（σ／√４）／√６４＝０．０６２５σ［％］となる。このことからも、ロングプリアンブルでの算出は、ショートプリアンブルで求めた周波数オフセットより精度が良いことがわかる。
【００２９】
次に、周波数オフセット算出について説明する。
この実施例１の周波数オフセット補正方法が適用されるＯＦＤＭ方式の受信装置のＡＦＣ回路１０４では、m（２〜６）シンボル後のサンプルと比較する。
２シンボル後のサンプルとの比較の場合、現行の標本数９０から１６減った８０個の標本数を得ることができる。この場合の標本平均の標準偏差は、（σ／√２）／√８０＝０．０７９１σ［％］となり、同様に３シンボル後の場合では、（σ／√３）／√６４＝０．０７２１σ［％］、４シンボル後の場合では、（σ／√４）／√４８＝０．０７２２σ［％］、５シンボル後の場合では、（σ／√５）／√３２＝０．０７９０σ［％］、６シンボル後の場合では、（σ／√６）／√１６＝０．１０２１σ［％］となる。
【００３０】
図９は、この実施例１においてショートプリアンブルの３シンボル後のサンプルとの比較により最も精度が向上することを示すための説明図である。
図９に示すように３シンボル後の比較をすることにより、通常の算出に比べて一番精度が向上する。この算出方法に変えることにより、ショートプリアンブルで算出した周波数オフセットとロングプリアンブルで算出した周波数オフセットのギャップを小さくすることができ、従来の問題点を解消することが可能となる。
また、特性改善によりショートプリアンブルだけで周波数補正を行う方法も考えられる。その際、ロングプリアンブルでの周波数オフセット補正回路が不要になり、回路の削減や消費電力を抑えることが可能である。さらに、チャネル推定で求めた初期位相とデータ部分の初期位相が同じことになり、位相が異なることによるＳ／Ｎの低下がなくなる。
【００３１】
次に、具体的な動作について説明する。
図１０は、この実施例１の周波数オフセット補正方法による実際のデータ処理を示すフローチャートである。
以下、図１０に示すフローチャートに従ってこの実施例１の周波数オフセット補正方法のアルゴリズムを説明する。
ステップＳ１およびステップＳ２は、図５に示すフローチャートに示す処理と同様であり、同一の符号を付してあり、ステップＳ１３とステップＳ１４以降の処理が異なっている。すなわち、図１０のフローチャートに示す処理では、通常行われていた１６サンプル後の回転角度の算出と（ステップＳ１３）、４８サンプル後（ここは４８として説明する）の回転角度の算出を行う（ステップＳ１４）。
１６サンプル後の回転角度を算出している理由は、オフセットの算出を３シンボル後の回転角度のみで行なった場合、従来より３倍回転し、補正可能な最大周波数が１／３になってしまうことに対してカバーするためである。
現行システムは、１６サンプル後の回転角度が±１８０°未満の範囲でしか回転角度を求めることが出来ない。これが周波数制御の補正可能な最大オフセット周波数になる。
しかし、３シンボル後の回転角度を測定した場合、従来より３倍回転するため補正可能な最大周波数が１／３になってしまう。例えば、従来で回転角度が１６０°だったとき４８０°回転してしまう。このため、１２０°回転したのか、４８０°回転したのか、−２４０°回転したのか判断できない。これをカバーするには従来の測定方法を用いて、大方の回転角度を求める必要がある。
【００３２】
シンボルＡ４からＡ７の回転角度を計測する前に、従来どおりＡ４からＡ５、Ａ５からＡ６の回転角度をステップＳ１３により計測する。
標本数が３２なので標本平均の標準偏差は、σ／√３２＝０．１７６７σ［％］と精度が悪いが、１２０°か４８０°か−２４０°かの判断をするには十分である。このような処理を行うことにより、補正可能な最大オフセット周波数を下げずに、高精度な算出を可能とする。これが図１０に示すフローチャートのステップＳ１５の処理で行われている。このステップＳ１５の処理は、周波数オフセット検知部Ｂ１１の角度検知器１２２により行われる。
そして、図１０のステップＳ１６とステップＳ１７において周波数オフセット補正が行われ、微調補正したＩＱデータが生成される。すなわちオフセット補正部Ｂ１２のサイン波発生器１２により、オフセットを補正するための補正サイン波を発生させ、さらに乗算器１２４により入力信号と前記補正サイン波を乗算してオフセット補正が行われる。
【００３３】
以上のように、この実施例１によれば、ショートプリアンブルを用いて、精度の高い周波数オフセットを算出でき、また、ロングプリアンブルで行われるチャネル推定の精度を向上できる周波数オフセット補正方法および装置を提供できる効果がある。
また、ＯＦＤＭの通信性能を向上させることが可能になり、また、ロングプリアンブルでの周波数オフセット算出を省略できる周波数オフセット補正方法および装置を提供できる効果がある。
【図面の簡単な説明】
【００３４】
【図１】従来のＯＦＤＭ方式の受信装置の構成を示すブロック図である。
【図２】ＯＦＤＭのパケット構成を示す説明図である。
【図３】サンプリングデータがジッタによる位相や振幅の変動によりばらつく状態を示す説明図である。
【図４】従来の受信装置におけるＡＦＣ回路の構成を示すブロック図である。
【図５】従来の受信装置のＡＦＣ回路における実際のデータ処理を示すフローチャートである。
【図６】ショートプリアンブルで１６サンプル後にシンボルが３０°回転した一例を示す説明図である。
【図７】本発明の実施例１の周波数オフセット補正方法が適用されるＯＦＤＭ方式の受信装置の構成を示すブロック図である。
【図８】本発明の実施例１のＡＦＣ回路の構成を示すブロック図である。
【図９】本発明の実施例１においてショートプリアンブルの３シンボル後のサンプルとの比較により最も精度が向上することを示すための説明図である。
【図１０】本発明の実施例１の周波数オフセット補正方法による実際のデータ処理を示すフローチャートである。
【符号の説明】
【００３５】
１２１……サンプルデータ保持回路、１２２……角度検知器、Ｂ１２……オフセット補正部。
【図１】
2006041722.tif 000003
【図２】
2006041722.tif 000004
【図３】
2006041722.tif 000005
【図４】
2006041722.tif 000006
【図５】
2006041722.tif 000007
【図６】
2006041722.tif 000008
【図７】
2006041722.tif 000009
【図８】
2006041722.tif 000010
【図９】
2006041722.tif 000011
【図１０】
2006041722.tif 000012